(57)【要約】【課題】組み立てを行うとき及び内部の部品交換や、メンテナンス時に放熱用のカバー部材を取り外すときに、作業に必要な時間及び手間を省くとともに、製品の組立精度を高める。【解決手段】ベース１とアクチュエータ２と、ベース１の底面をカバーするカバー部材３とを有する光ヘッドＡであって、カバー部材３のレーザ光源支持部３２の光源接触部３２１には、レーザ光源５のフランジ部５２に形成されたキー溝５２２と係合するための凸部３２１１が形成されている。【選択図】図５
2007141362.tif 000002
【特許請求の範囲】
【請求項１】
レーザ光を照射するレーザ光源と、
前記レーザ光から特定の波長の光を取り出すグレーティングと、
前記レーザ光の一部を反射し一部を透過するハーフミラーと、
前記レーザ光を平行光にするコリメータレンズと、
前記レーザ光を前記光ディスクに照射するための対物レンズと、
光を受光し電気信号に変換する受光素子と、
前記対物レンズを保持するアクトベースと、
前記レーザ光源、グレーティング、ハーフミラー、受光素子及びアクトベースが固定されるベースと、
前記ベースの底面を覆うように装着されるカバー部材と、
前記レーザ光源に電力を供給する配線基板とを有する光ヘッドであって、
前記レーザ光源は、レーザ光を出射するレーザ出射部と、前記レーザ出射部と隣接して形成されるフランジ部と、前記フランジ部を挟んで前記レーザ出射部とは反対側に該フランジ部より突出する電力供給部とを有しており、前記フランジ部の側周壁には、矩形状の断面を有する１個のキー溝と、中心軸を挟んで対称に形成される２個の凹溝が形成されており、
前記ベースは前記フランジ部の側面に形成されたキー溝と係合するキーと、前記フランジ部の側面に形成された凹溝と係合する凸条とを備え、該レーザ光源のレーザ光出射部及び前記フランジ部の一部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部とを有しており、
前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の電力供給部が貫通する光源貫通孔と、前記ボスが貫通するボス孔と、前記雌ねじ孔と重なるボルト孔とを有する光源支持部とを有しており、
前記光源接触部には前記レーザ光源の前記キー溝と係合する凸部が形成されており、
前記凸部と前記キー溝を係合させ、前記光源貫通孔を前記電力供給部が貫通するように配置し、カバー部材より突出した電力供給部と配線基板を接続し、
前記カバー部材のボス孔と前記ベースのボスとを係合させるとともに、前記光源接触部を前記レーザ光源の光源挿入孔から突出する部分と係合させ、ボルトでボルト孔を貫通させ雌ねじ孔に螺合することで、レーザ光源を光源挿入孔に挿入できることを特徴とする光ヘッド。
【請求項２】
レーザ光を照射するレーザ光源と、
前記レーザ光から特定の波長の光を取り出すグレーティングと、
前記レーザ光の一部を反射し一部を透過するハーフミラーと、
前記レーザ光を平行光にするコリメータレンズと、
前記レーザ光を前記光ディスクに照射するための対物レンズと、
光を受光し電気信号に変換する受光素子と、
前記対物レンズを保持するアクトベースと、
前記レーザ光源、グレーティング、ハーフミラー、受光素子及びアクトベースが固定されるベースと、
前記ベースの底面を覆うように装着されるカバー部材と、
前記レーザ光源に電力を供給する配線基板とを有する光ヘッドであって、
前記レーザ光源は、レーザ光を出射するレーザ出射部と、前記レーザ出射部と隣接して形成されるフランジ部と、前記フランジ部を挟んで前記レーザ出射部とは反対側に該フランジ部より突出する電力供給部とを有しており、前記フランジ部の側周壁には、矩形状の断面を有する１個のキー溝と、中心軸を挟んで対称に形成される２個の凹溝が形成されており、
前記ベースは前記フランジ部の側面に形成されたキー溝と係合するキーと、前記フランジ部の側面に形成された凹溝と係合する凸条とを備え、該レーザ光源のレーザ光出射部及び前記フランジ部の一部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部とを有しており、
前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の電力供給部が貫通する光源貫通孔と、前記ボスが貫通するボス孔と、前記雌ねじ孔と重なるボルト孔とを有する光源支持部とを有しており、
前記光源接触部には前記レーザ光源の前記キー溝と係合する凸部が形成されており、
前記凸部と前記キー溝を係合させ、前記光源貫通孔を前記電力供給部が貫通するように配置し、カバー部材より突出した電力供給部と配線基板を接続することを特徴とする光ヘッド。
【請求項３】
レーザ光を照射するレーザ光源と、
前記レーザ光源が固定されるベースと、
前記ベースの底面を覆うように装着されるカバー部材とを有しており、
前記レーザ光源は、レーザ光を出射するレーザ出射部と、前記レーザ出射部と隣接して形成されるフランジ部と、前記フランジ部を挟んで前記レーザ出射部とは反対側に該フランジ部より突出する電力供給部とを有しており、前記フランジ部の側周壁には、矩形状の断面を有するキー溝が形成されており、
前記ベースは前記フランジ部の側面に形成されたキー溝と係合するキーを備え、該レーザ光源のレーザ光出射部及び前記フランジ部の一部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、
前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の電力供給部が貫通する光源貫通孔と、前記ボスが貫通するボス孔と、前記雌ねじ孔と重なるボルト孔とを有する光源支持部とを有しており、
前記光源接触部には前記レーザ光源の前記キー溝と係合する凸部が形成されており、
前記凸部と前記キー溝を係合させ、前記光源貫通孔を前記電力供給部が貫通するように配置し、カバー部材より突出した電力供給部と配線基板を接続することを特徴とする光ヘッド。
【発明の詳細な説明】
【技術分野】
【０００１】
本発明は、光ディスクにレーザ光を照射することでデータの記録及び（又は）読出しを行う光ヘッドに関するものである。
【背景技術】
【０００２】
映像、音声等の情報の記録媒体としてＣＤ（Compact Disc）、ＤＶＤ（Digital Versatile Disc）等のレーザ光を照射することで情報を記録したり及び（又は）読出したりすることができる光ディスクが利用されている。これら光ディスクを記録媒体として該光ディスクの記録面に対しレーザ光を照射することでデータを記録したり、反射してきた光を検出することでデータを読出したりするために光ヘッドが用いられる。
【０００３】
図７に光ヘッドの配置図を示す。図７に示す光ヘッドはそれには限定されないがここでは、光ディスクに記録されているデータを読出す読出し専用の光ヘッドである。図１に示すようにレーザ光源９２１と、レーザ光源９２１から照射されたレーザ光の特定波長の光を取り出すグレーティングＧｒと、ミラーＭｒと、コリメータレンズＬｃと、対物レンズＬｂと、ハーフミラーＨｍと、受光素子Ｐｄとを有している。レーザ光源９２１より照射されたレーザ光グレーティングＧｒにて特定波長だけ抽出され、ミラーＭｒで反射されてコリメータレンズＬｃに入射する。コリメータレンズＬｃに入射したレーザ光は平行光として出射され対物レンズＬｂに入射する。対物レンズＬｂに入射したレーザ光は光ディスクＤｓの記録面に照射される。
【０００４】
このときレーザ光は光ディスクＤｓの記録層に焦点をあわせて、且つ、光軸と光ディスクＤｓの記録層とが垂直になるようにレーザ光を照射する。ハーフミラーＨｍは入射されたレーザ光の半分を透過し半分を反射するミラーであり、光ディスクＤｓで反射した光を受光素子Ｐｄに導くものである。受光素子Ｐｄは光を電流に変換するものであり、光の強さによってデータを読み取るものである。
【０００５】
図８（Ａ）に従来の光ヘッドの底面図を、図８（Ｂ）に図８（Ａ）に示す光ヘッドの側面図を示す。図８（Ａ）、図８（Ｂ）に示す光ヘッドＢはベース９１と、ベース９１に取り付けられるレーザ光源ユニット９２と、レーザ光を回折するグレーティングＧｒと、レーザ光源ユニット９２から発せられる熱を放熱するためのカバー部材９３が取り付けられる。
【０００６】
ベース９１はレーザ光源ユニット９２を配置するための光源設置部９１１を有しており、光源設置部９１１には対角線上に配置された雌ねじ孔９１２と、雌ねじ孔９１２が形成されているのとは異なる対角線上にボス９１３がそれぞれ２個ずつ形成されている。またベース９１の底面にも雌ねじ孔９１４が形成されている。
【０００７】
レーザ光源ユニット９２はレーザ光源９２１と、レーザホルダ９２２とを有している。レーザ光源９２１はレーザホルダ９２２に形成された貫通孔に圧入固定されている。
【０００８】
カバー部材９３は、ベース９１の底面に取り付けられるものであり、底面を覆うカバー部９３１と、レーザ光源ユニット９２を接触保持するレーザ光源保持部９３２とを有している。グレーティングＧｒを調整するためのグレーティング調整窓９３４と、対物レンズを保持するアクトベース９４の傾きを調整する傾き調整窓９３５とを有している。
【０００９】
レーザ光源９２１を圧入したレーザホルダ９２２を、光源設置部９１１に配置する。このとき、光源設置部９１１のボス９１３がレーザホルダ９２２のボス孔を貫通するように配置される。このように配置されることで、レーザホルダ９２２の位置決めを行うことができる。
【００１０】
さらに、レーザホルダ９２２を貫通したボス９１３とカバー部材９３のレーザ光源保持部９３２に形成されたボス孔とが嵌合するようにカバー部材９３を取り付ける。
【００１１】
カバー部材９３の上からボルトＢｔを挿入し雌ねじ孔９１２と螺合することで、レーザホルダ９２２及びカバー部材９３を固定することができる。ボルトＢｔの締め付け具合を調整することで、レーザ光源ユニット９２の角度を微調整することができ、レーザ光源５の調整を行うことができる。
【００１２】
また、特開２００５−１０８３００号公報に記載の発明は、光学ベースにレーザダイオードを配置し、ホルダを外側よりスライドして取り付けることで、前記レーザダイオードの回転方向の位置決めをできるものが示されている。このホルダを備えることで、レーザダイオードより発生する熱が外ホルダに伝達させ、該レーザダイオードの熱を効率よく取り除くことが可能である。
【特許文献１】特開２００５−１０８３００号公報
【発明の開示】
【発明が解決しようとする課題】
【００１３】
しかしながら、レーザ光源９２１をレーザホルダ９２２に圧入し、ベース９１に取り付けるものの場合、レーザホルダ９２２を製造するための機器が必要であり、加工に多くの時間と、手間を必要としていた。また、レーザホルダ９２２にレーザ光源９２１を取り付ける場合、レーザ光源９２１をレーザホルダ９２２に設けられた孔に圧入固定するものが主であり、レーザ光源９２１に無理な力がかかることが多く、レーザ光の出射部が予想外の方向に向いたり、レーザ光源９２１を傷つけたり、破損してしまったりすることがある。
【００１４】
さらに、レーザ光源９２１がレーザホルダ９２２に圧入されていることで、レーザ光源９２１をレーザホルダ９２２から取り外すのが困難であり、レーザ光源９２１又はレーザホルダ９２２の不具合等で、取り替えるときには、レーザ光源９２１とレーザホルダ９２２の両方を取り替えなくてはならず、どちらか一方だけ取り替えられる場合に比べて無駄が多い。
【００１５】
特開２００５−１０８３００号公報に記載の発明では、ホルダの係合部とレーザダイオードのステム部の被係合部とを係合するものであり、該ホルダが光学ベースに深く挿入されるものの場合、前記ステム部のホルダとの係合部が短くなり、前記係合部と前記被係合部との係合が十分にいかないことがありえる。
【００１６】
そこで本発明は、組み立てを行うとき及び内部の部品交換や、メンテナンス時に放熱用のカバー部材を取り外すときに、作業に必要な時間及び手間を省くとともに、製品の組立精度を高めることを目的とする。
【課題を解決するための手段】
【００１７】
上記目的を達成するために本発明は、レーザ光を照射するレーザ光源と、前記レーザ光から特定の波長の光を取り出すグレーティングと、前記レーザ光の一部を反射し一部を透過するハーフミラーと、前記レーザ光を平行光にするコリメータレンズと、前記レーザ光を前記光ディスクに照射するための対物レンズと、光を受光し電気信号に変換する受光素子と、前記対物レンズを保持するアクトベースと、前記レーザ光源、グレーティング、ハーフミラー、受光素子及びアクトベースが固定されるベースと、前記ベースの底面を覆うように装着されるカバー部材と、前記レーザ光源に電力を供給する配線基板とを有する光ヘッドであって、前記レーザ光源は、レーザ光を出射するレーザ出射部と、前記レーザ出射部と隣接して形成されるフランジ部と、前記フランジ部を挟んで前記レーザ出射部とは反対側に該フランジ部より突出する電力供給部とを有しており、前記フランジ部の側周壁には、矩形状の断面を有する１個のキー溝と、中心軸を挟んで対称に形成される２個の凹溝が形成されており、前記ベースは前記フランジ部の側面に形成されたキー溝と係合するキーと、前記フランジ部の側面に形成された凹溝と係合する凸条とを備え、該レーザ光源のレーザ光出射部及び前記フランジ部の一部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部とを有しており、前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の電力供給部が貫通する光源貫通孔と、前記ボスが貫通するボス孔と、前記雌ねじ孔と重なるボルト孔とを有する光源支持部とを有しており、前記光源接触部には前記レーザ光源の前記キー溝と係合する凸部が形成されており、前記凸部と前記キー溝を係合させ、前記光源貫通孔を前記電力供給部が貫通するように配置し、カバー部材より突出した電力供給部と配線基板を接続し、前記カバー部材のボス孔と前記ベースのボスとを係合させるとともに、前記光源接触部を前記レーザ光源の光源挿入孔から突出する部分と係合させ、ボルトをボルト孔を貫通させ雌ねじ孔に螺合することで、レーザ光源を光源挿入孔に挿入できることを特徴とする。
【００１８】
この構成によると前記カバー部材のボス孔と前記ベースのボスとを係合させるとともに、前記光源接触部を前記レーザ光源の光源挿入孔から突出する部分と係合させ、ボルトをボルト孔を貫通させ雌ねじ孔に螺合することで、レーザ光源を光源挿入孔に挿入することができる。
【００１９】
前記レーザ光源を挿入するときには、軸回り方向の回転角度が決まっており、カバー部材の凸部とレーザ光源のキー溝を係合した状態で、カバー部材をベースに取り付けることで、レーザ光源の回転を防止し、正しい方向及び角度でレーザ光源を取り付けることができる。
【００２０】
これにより、部品の交換や、メンテナンス等でカバー部材を取り外さなくてはならなくても、前記レーザ光源を前記カバー部材より取り外さずに作業をすることができるとともに、レーザ光源の回転が抑制されているので、カバー部材取付時にレーザ光源のキー溝を光源挿入孔のキーと係合させることができ、円滑に且つ迅速に取り付けることが可能である。
【００２１】
また上記目的を達成するため本発明は、レーザ光を照射するレーザ光源と、前記レーザ光源が固定されるベースと、前記ベースの底面を覆うように装着されるカバー部材とを有しており、前記レーザ光源は、レーザ光を出射するレーザ出射部と、前記レーザ出射部と隣接して形成されるフランジ部と、前記フランジ部を挟んで前記レーザ出射部とは反対側に該フランジ部より突出する電力供給部とを有しており、前記フランジ部の側周壁には、矩形状の断面を有するキー溝が形成されており、前記ベースは前記フランジ部の側面に形成されたキー溝と係合するキーを備え、該レーザ光源のレーザ光出射部及び前記フランジ部の一部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の電力供給部が貫通する光源貫通孔と、前記ボスが貫通するボス孔と、前記雌ねじ孔と重なるボルト孔とを有する光源支持部とを有しており、前記光源接触部には前記レーザ光源の前記キー溝と係合する凸部が形成されており、前記凸部と前記キー溝を係合させ、前記光源貫通孔を前記電力供給部が貫通するように配置し、カバー部材より突出した電力供給部と配線基板を接続することを特徴とする。
【００２２】
この構成によると前記カバー部材のボス孔と前記ベースのボスとを係合させるとともに、前記光源接触部を前記レーザ光源の光源挿入孔から突出する部分と係合させ、ボルトをボルト孔を貫通させ雌ねじ孔に螺合することで、レーザ光源を光源挿入孔に挿入することができる。
【００２３】
前記レーザ光源を挿入するときには、軸回り方向の回転角度が決まっており、カバー部材の凸部とレーザ光源のキー溝を係合した状態で、カバー部材をベースに取り付けることで、レーザ光源の回転を防止し、正しい方向及び角度でレーザ光源を取り付けることができる。
【００２４】
これにより、部品の交換や、メンテナンス等でカバー部材を取り外さなくてはならなくても、前記レーザ光源を前記カバー部材より取り外さずに作業をすることができるとともに、レーザ光源の回転が抑制されているので、カバー部材取付時にレーザ光源のキー溝を光源挿入孔のキーと係合させることができ、円滑に且つ迅速に取り付けることが可能である。
【発明の効果】
【００２５】
本発明によると、内部の部品交換や、メンテナンス時に放熱用のカバー部材を取り外すときに、該カバー部材とレーザ光源とが係合した状態で取り外し、前記レーザ光源の回転方向の角度が正確な角度になるように前記レーザ光源及び前記カバー部材を取り付けることができる光ヘッドを提供する。
【発明を実施するための最良の形態】
【００２６】
以下に本発明の実施形態を図面を参照して説明する。図１は光ヘッドの配置図である。図１に示す光ヘッドはそれには限定されないがここでは、光ディスクに記録されているデータを読出す読出し専用の光ヘッドである。図１に示すようにレーザ光源５と、レーザ光源５から照射されたレーザ光の特定波長の光を取り出すグレーティングＧｒと、ミラーＭｒと、コリメータレンズＬｃと、対物レンズＬｂと、ハーフミラーＨｍと、受光素子Ｐｄとを有している。レーザ光源５より照射されたレーザ光グレーティングＧｒにて特定波長だけ抽出され、ミラーＭｒで反射されてコリメータレンズＬｃに入射する。コリメータレンズＬｃに入射したレーザ光は平行光として出射され対物レンズＬｂに入射する。対物レンズＬｂに入射したレーザ光は光ディスクＤｓの記録面に照射される。
【００２７】
このときレーザ光は光ディスクＤｓの記録層に焦点をあわせて、且つ、光軸と光ディスクＤｓの記録層とが垂直になるようにレーザ光を照射する。ハーフミラーＨｍは入射されたレーザ光の半分を透過し半分を反射するミラーであり、光ディスクＤｓで反射した光を受光素子Ｐｄに導くものである。受光素子Ｐｄは光を電流に変換するものであり、光の強さによってデータを読み取るものである。光ディスクにデータを記録することのできる光ヘッドも基本的に同様の構成である。上述の各部材へのレーザ光の照射順序はこれに限定されるものではなく、可能な範囲で順序が入れ替わっているものであっても良い。
【００２８】
図２は本発明に係る光ヘッドの平面図であり、図３は図２に示す光ヘッドの底面図であり、図４は図２に示す光ヘッドの側面図であり、図５（Ａ）は図２に示すレーザ光源設置部の拡大断面図であり、図５（Ｂ）は図５（Ａ）に示す光源設置部の拡大側面図であり、図６（Ａ）は本発明にかかる光ヘッドのレーザ光源とカバー部材の分解斜視図であり、図６（Ｂ）は本発明にかかる光ヘッドのカバー部材の側面図であり、図６（Ｃ）は光源接触部の拡大側面図である。光ヘッドＡは、ベース１とアクチュエータ２と、ベース１の底面をカバーするカバー部材３とを有している。
【００２９】
ベース１は側面にレーザ光源５を装着する光源設置部１１を備えている。図３、図４に示すように光源設置部１１は略中央にレーザ光源５を挿入するための光源挿入孔１１１と、光源挿入孔１１１を挟んで２個のボス１１２と、光源挿入孔１１１を挟みボス１１２と重ならない位置に２個の雌ねじ孔１２を備えている。
【００３０】
レーザ光源５はレーザ光出射部５１と、レーザ光出射部５１を支持するフランジ部５２と、フランジ部５２に対しレーザ光出射部５１と反対側に形成される電力供給部５３とを有している。フランジ部５２は断面円形に形成されるものであり、フランジ部５２の側面には２個の凹溝５２１が形成されている。凹溝５２１はフランジ部５２の中心に対して対称の位置に配置されている。フランジ部５２は一部が光源挿入孔１１１に嵌入するものであり、光源挿入孔１１１の凹溝５２１と対応する位置には、凹溝５２１と係合可能な形状を有する凸条１１４が形成されている。このように、凹溝５２１を凸条１１４と係合するようにレーザ光源５を光源挿入孔１１１に挿入することで、レーザ光源５が回転するのを防ぐことができる（図５、図６参照）。
【００３１】
さらに、レーザ光源５のフランジ部５２の側面には断面矩形状のキー溝５２２が形成されており、光源挿入孔１１１にはこのキー溝５２２と係合するためのキー１１０が形成されている。光源挿入孔１１１のキー１１０とレーザ光源５のキー溝５２２とが係合するように、レーザ光源５を光源挿入孔１１１に挿入することで、レーザ光源５の取付け角度（回転方向）の精度を容易に高めることができる（図５（Ｂ）参照）。
【００３２】
アクチュエータ２はアクトベース２０と、対物レンズＬｂを保持するレンズホルダ２１と、レンズホルダ２１をワイヤばね２２を介して支持する支持部２３とを有している。アクチュエータ２は図示を省略したトラッキングコイル、フォーカシングコイル等を用いてレンズホルダ２１を移動させ対物レンズＬｂのトラッキング調整、フォーカシング調整等を行うものである。アクチュエータ２はレーザ光を光ディスクＤｓに照射するときに、レーザ光が光ディスクＤｓの記録面に適切な角度で照射されるように調整されてベース１に配置、固定される。
【００３３】
カバー部材３はベース１の底面を覆うカバー部３１と、レーザ光源５を支持しカバー部３１と直交するレーザ光源支持部３２とを備えている。カバー部材３はそれには限定されないが、ここではアルミニウム板をプレス加工にて切曲げて形成されるものである。
【００３４】
カバー部材３のカバー部３１にはグレーティング配置部１３と重なる位置に形成され、グレーティングＧｒの調整を行うグレーティング調整用窓３１１と、アクチュエータ２の傾きを調整するための傾き調整窓３１２とを有している（図３参照）。
【００３５】
また、レーザ光源支持部３２には、光源設置部１１に形成された光源挿入孔１１１に設置されたレーザ光源５の突出部と係合する円筒形の凹部を有する光源接触部３２１と、光源設置部１１に備えられているボス１１２と係合するためのボス孔３２２と、光源設置部１１に形成された雌ねじ孔１２と重なるように形成されたボルト孔３２３とを有している。
【００３６】
また、光源接触部３２１の中央部には、レーザ光源５に電力を供給するための電力供給部５３がカバー部材３を貫通するための、光源貫通部３２４が形成されている。カバー部材３は光源接触部３２１がレーザ光源５の光源挿入孔１１１から突出した部分（レーザ光源５のフランジ部５２）を覆うとともに、接触する（図５（Ａ）、（Ｂ）参照）
【００３７】
これにより、レーザ光源５から発生する熱はカバー部材３の光源接触部３２１に伝達される。光源接触部３２１に伝達された熱は、カバー部材３のレーザ光源支持部３２、カバー部３１へと伝播するとともに、カバー部材３の大気と接触している部分より大気中に放出される。ずなわち、レーザ光源５から発生する熱は効果的に放熱され、レーザ光源５の過熱による出力の低下を抑制することができる。
【００３８】
ベース１の底面にカバー部材３を取り付けるときには、まず、ベース１の光源設置部１１に形成されたボス１１２とカバー部材３のレーザ光源支持部３２に形成されたボス孔３２２を係合させる。ボス１１２をボス孔３２２に係合することで、カバー部材３がベース１に対して正しい位置に来るように位置決めできる。すなわち、光源挿入孔１１１に挿入されたレーザ光源５の光源挿入孔１１１から突出する部分にカバー部材３のレーザ光源支持部３２の光源接触部３２１が接触配置される。
【００３９】
このとき、光源設置部１１に設けられた雌ねじ孔１２とカバー部材３のレーザ光源支持部３２のボルト孔３２３とが重なるように配置される。この状態でボルト４をボルト孔３２３に貫通させて雌ねじ孔１２と螺合することで、カバー部材３をベース１に固定することができる。カバー部材３を取り付けた状態では、レーザ光源支持部３２の光源貫通部３２４より、レーザ光源５の電力供給部５３が露出している。
【００４０】
電力供給部５３は、ベース１に取り付けられ図示を省略した制御基板と電力供給部５２とをつなぐための配線基板Ｐｃと接続している。配線基板Ｐｃはカバー部材３を挟んでフランジ部５２の反対側よりレーザ光源支持部３２と接触するように取り付けられている。配線基板Ｐｃはカバー部材３のレーザ光源支持部３２と制御基板とがねじれて配置されていても、電力を供給することができるように、曲げたり、ねじったりしても、断線しにくいＦＰＣ（flexible Print Circuit)が採用されている（図３、図４、図５参照）。
【００４１】
また、カバー部材３のカバー部３１にはグレーティングＧｒにアクセスするためのグレーティング調整窓３１２が形成されており、カバー部材３を取り外すことなくグレーティングＧｒの調整を行うことができる。さらに、ベース１の表側に配置されるアクチュエータ２の傾きを調整するねじ（不図示）が挿入される傾き調整窓３１３も形成されており、カバー部材３が取り付けられた状態であっても、アクチュエータ２の傾きを調整することが可能である。
【００４２】
ベース１にカバー部材３を取り付けることで、レーザ光源５、ハーフミラーＭｒ、受光素子Ｐｄ等に物品が接触したり、埃、塵等が付着したりして、破損したり故障したりするのを抑制することができる。また、光ヘッドＡの外部よりレーザ光以外の光が入射するのを防ぐことができるので、受光素子Ｐｄに入射するレーザ光に不要な光が混入し、干渉することがないので、受光素子Ｐｄにて正確な電気信号に変換することができる。さらに、レーザ光源５からの熱を効率よく放熱することができ、それだけ、光ヘッドＡの熱による破損、故障等の不具合の発生を抑制することができる。
【００４３】
カバー部材３のレーザ光源支持部３２の光源接触部３２１には、レーザ光源５のフランジ部５２に形成されたキー溝５２２と係合するための凸部３２１１が形成されている。カバー部材３をべース１に取り付けるときに、カバー部材３の凸部３２１１とフランジ部５２のキー溝５２２とが係合するするように、凸部３２１１は形成されている。
【００４４】
ベース１に取り付けられた光学部材の交換又はメンテナンス等、光ヘッドＡのリワークを行う場合、カバー部材３をベース１より取り外す必要がある。レーザ光源５の電力供給部５３と配線基板Ｐｃとは固定されており、レーザ光源５はカバー部材３に保持された状態でカバー部材３はベース１より取り外される。このとき、レーザ光源５のフランジ部５２に形成された、キー溝５２２と光源接触部４２に形成された凸部３２１１とが係合しているので、レーザ光源５はカバー部材３のレーザ光源支持部３２に一定の回転角度を保ったまま支持される。
【００４５】
この状態でカバー部材３をベース１に取り付けることで、レーザ光源５の回転方向の角度を調整しなくても、レーザ光源５のフランジ部５２に形成された凹溝５２１を光源挿入孔１１１に形成された凸条１１４と、フランジ部５２のキー溝５２２と光源挿入孔１１１のキー１１０とが係合するように挿入することができる。これにより、カバー部材３を取外し／とり付けするたびに、レーザ光源５の回転方向の角度を調整しなくても、レーザ光源５をベース１の光源挿入孔１１１に正確な角度で挿入することができる。それだけ、組立時の手間、時間を削減することができる。また、組み付け失敗による破損も防ぐことができる。
【００４６】
上記実施例では、フランジ部５２に２個の凹溝５２１及び１個のキー溝５２２を備えたものを例に説明しているが、それに限定されるものではなく、凹溝を備えていないもの、キー溝５２２を複数個備えているもの等、レーザ光源５の回転を抑え、回転方向の角度を正確に決定することができるものを広く採用することができる。
【産業上の利用可能性】
【００４７】
本発明の光ヘッドは、ＤＶＤ、ＣＤ、ＬＤ等の光ディスクにレーザ光を照射して情報を読み出したり、書込み可能な光ディスクに情報を記録したりする光ディスク装置において適用することができる。
【図面の簡単な説明】
【００４８】
【図１】本発明にかかる光ディスク装置の配置図である。
【図２】本発明に係る光ヘッドの平面図である。
【図３】図２に示す光ヘッドの底面図である。
【図４】図２に示す光ヘッドの側面図である。
【図５】図Ａは図２に示すレーザ光源設置部の拡大断面図であり、図Ｂは図Ａに示す光源設置部の拡大側面図である。
【図６】図Ａは本発明にかかる光ヘッドのレーザ光源とカバー部材の分解斜視図であり、図Ｂは本発明にかかる光ヘッドのカバー部材の側面図であり、図Ｃは光源接触部の拡大側面図である。
【図７】光ヘッドの配置図である。
【図８】図Ａは従来の光ヘッドの底面図であり、図Ｂは図Ａに示す光ヘッドの側面図である。
【符号の説明】
【００４９】
Ｄｓ  光ディスク
Ｍｒ  ミラー
Ｈｍ  ハーフミラー
Ｐｄ  受光部
１  ベース
１１  光源設置部
１１１  光源孔
１１２  ボス
１２  雌ねじ孔
１３  グレーティング配置部
１４  溝
１５  貫通孔
２  アクチュエータ
２０  アクトベース
２１  レンズホルダ
２２  ワイヤばね
２３  支持部
３  カバー部材
３１  カバー部
３１１  ねじ孔
３１２  グレーティング調整窓
３１３  傾き調整窓
３２  レーザ光源支持部
３２１  光源接触部
３２２  ボス孔
３２３  ボルト孔
４  ボルト
５  レーザ光源
５１  レーザ光出射部
５２  フランジ部
５２１  凹溝
５２２  キー溝
５３  電力供給部
Ｐｃ  配線基板
【図１】
2007141362.tif 000003
【図２】
2007141362.tif 000004
【図３】
2007141362.tif 000005
【図４】
2007141362.tif 000006
【図５】
2007141362.tif 000007
【図６】
2007141362.tif 000008
【図７】
2007141362.tif 000009
【図８】
2007141362.tif 000010